(57)【要約】【課題】  読み取りと記録において原稿と記録紙の紙搬送系を共用する画像読取記録装置において、ファクシミリ受信の機会が失われる可能性を極力少なくすることができる画像読取記録装置およびその方法を提供する。【解決手段】  ファクシミリ送信のための読み取り事象より、ファクシミリ受信画像のための記録事象に、紙搬送系を優先的に割り当てる。【選択図】  図１
2006217037.tif 000002
【特許請求の範囲】
【請求項１】
読み取りと記録において原稿と記録紙の紙搬送系を共用する画像読取記録装置において、
前記紙搬送系を占有している事象が読み取りに関係あるか記録に関係あるかを判定するための搬送系占有事由判定手段と、
前記紙搬送系を占有している読み取り事象を強制的に排除して前記紙搬送系を開放する読み取り強制終了手段と、
前記搬送系占有事由判定手段の判定結果が読み取り事象により前記紙搬送系を占有していることを示していて、かつ、該読み取り事象は保留中であって、さらに、該読み取り事象より予め優先度が高く設定されている記録事象の要求が発生したならば、該読み取り事象による前記紙搬送系の占有を開放するように前記読み取り強制終了手段を制御する紙搬送系割り当て制御手段と、
を有することを特徴とする画像読取記録装置。
【請求項２】
前記保留中の読み取り事象は原稿を読み取りながら逐次送信するダイレクト送信の発信待機中の事象であることを特徴とする請求項１記載の画像読取記録装置。
【請求項３】
前記優先度の高い記録事象の要求はファクシミリ受信画像の記録が伴う可能性がある電話の着信であることを特徴とする請求項１または請求項２記載の画像読取記録装置。
【請求項４】
さらに、ファクシミリ受信画像を保存するためのメモリと、メモリの使用量を調べるメモリ使用量確認手段とを有し、前記記録事象の要求の優先度は、前記メモリ使用量確認手段の結果が予め定められた量を超えるか否かの条件を含むことを特徴とする請求項１から請求項３のいずれか１項記載の画像読取記録装置。
【請求項５】
さらに、前記紙搬送系割り当て制御手段によって前記保留中の読み取り事象による前記紙搬送系の占有を開放することを許可するか否かを定めたユーザによる選択を保持するための占有開放可否保持手段を有し、前記紙搬送系割り当て制御手段は、前記占有開放可否保持手段の結果が不可のときは前記保留中の読み取り事象による前記紙搬送系の占有を開放しないように制御することを特徴とする請求項１から請求項４のいずれか１項記載の画像読取記録装置。
【請求項６】
さらに、前記保留中の読み取り事象による前記紙搬送系の占有が開放された旨をユーザに通知する占有開放通知手段を有することを特徴とする請求項１から請求項５のいずれか１項記載の画像読取記録装置。
【請求項７】
前記占有開放通知手段は、前記占有が開放された旨をＬＣＤにメッセージとして表示することを特徴とする請求項６記載の画像読取記録装置。
【請求項８】
前記占有開放通知手段は、前記占有が開放された旨を記録紙に印刷することを特徴とする請求項６記載の画像読取記録装置。
【請求項９】
読み取りと記録において原稿と記録紙の紙搬送系を共用する画像読取記録装置の制御方法において、
前記紙搬送系を占有している事象が読み取りに関係あるか記録に関係あるかを判定し、
前記判定結果が読み取り事象により前記紙搬送系を占有していることを示していて、かつ、該読み取り事象は保留中であって、さらに、該読み取り事象より予め優先度が高く設定されている記録事象の要求が発生したならば、該読み取り事象による前記紙搬送系の占有を開放する、
というステップからなることを特徴とする画像読取記録装置の制御方法。
【発明の詳細な説明】
【技術分野】
【０００１】
本発明は、ファクシミリ装置のような画像読取記録装置に係り、特に読み取りと記録において原稿と記録紙の紙搬送系を共用する画像読取記録装置およびその方法に関するものである。
【背景技術】
【０００２】
ファクシミリ装置や複写機などの画像読取記録装置では、原稿を読み取るための読み取り部と、受信画像や読み取り画像を記録するための記録部は独立に具備するのが一般的である。これに対し、より廉価に装置を提供するため、読み取りと記録において原稿と記録紙の紙搬送系を共用する装置も提案されている。さらに廉価な装置を提供するため、例えば受信したファクシミリ画像を一時的に格納しておくメモリの容量をできるだけ小さく構成する場合も多い。
【０００３】
又、別の従来例としては、特許文献１及び特許文献２をあげることが出来る。
【特許文献１】特開平06-006513号公報
【特許文献２】特開2004-247863号公報
【発明の開示】
【発明が解決しようとする課題】
【０００４】
しかしながら、上記提案による装置においては、つぎのような問題があった。すなわち、読み取りと記録において原稿と記録紙の紙搬送系を共用しているため、例えば原稿を読み取りながらファクシミリ送信を行うダイレクト送信で、送信先が話中などで自動リダイヤル待機になっている場合、送信原稿が紙搬送系を占有しているため記録を行うことができなくなってしまう。従来例にも書いたが、さらに廉価な装置を提供するため画像用のメモリをできるだけ少なく実装することも多く、記録ができない状態でファクシミリ受信要求が続いて起きると、すぐにメモリ不足でファクシミリ受信を実行できなくなってしまう可能性が高い。一般的に、ファクシミリ送信はユーザが装置の近くにいる場合が多いが、ファクシミリ受信はユーザの所在と無関係に起きる事象であり、送信のために受信の機会を失うとユーザは受信の有無すらわからなくなる可能性が高く、望ましいと言えない。
【０００５】
本発明は、上記問題点に鑑みてなされたものであり、読み取りと記録において原稿と記録紙の紙搬送系を共用する画像読取記録装置において、ファクシミリ送信のための読み取り事象より、ファクシミリ受信画像のための記録事象に、紙搬送系を優先的に割り当てることで、ファクシミリ受信の機会が失われる可能性を極力少なくすることができる画像読取記録装置およびその方法を提供することを目的とする。
【課題を解決するための手段】
【０００６】
上記目的を達成するために、本発明の画像読取記録装置は以下の構成からなる。すなわち、
読み取りと記録において原稿と記録紙の紙搬送系を共用する画像読取記録装置において、
前記紙搬送系を占有している事象が読み取りに関係あるか記録に関係あるかを判定するための搬送系占有事由判定手段と、
前記紙搬送系を占有している読み取り事象を強制的に排除して前記紙搬送系を開放する読み取り強制終了手段と、
前記搬送系占有事由判定手段の判定結果が読み取り事象により前記紙搬送系を占有していることを示していて、かつ、該読み取り事象は保留中であって、さらに、該読み取り事象より予め優先度が高く設定されている記録事象の要求が発生したならば、該読み取り事象による前記紙搬送系の占有を開放するように前記読み取り強制終了手段を制御する紙搬送系割り当て制御手段と、
を有する。
【発明の効果】
【０００７】
以上説明したように、本発明によれば、読み取りと記録において原稿と記録紙の紙搬送系を共用する画像読取記録装置において、ファクシミリ送信のための読み取り事象より、ファクシミリ受信画像のための記録事象に、紙搬送系を優先的に割り当てることで、ファクシミリ受信の機会が失われる可能性を極力少なくすることができる画像読取記録装置およびその方法を提供することが可能になる。
【発明を実施するための最良の形態】
【０００８】
図１は、本発明に係わる画像読取記録装置の全体構成と、記録動作が可能であるときのＣＳホルダの位置を示す装置斜視図である。
【０００９】
また、図２は本発明に係わる画像読取記録装置における読取動作時を示す斜視図である。
【００１０】
さらに、図３は本発明に係わる画像読取記録装置におけるキャリッジ、ＣＳホルダ等の駆動系を示す背面からの斜視図である。
【００１１】
以下、同図を用いて、記録および読み取りの動作を簡単に説明する。
【００１２】
本実施例における画像読取記録装置は記録手段としてインクジェット記録部を搭載している。該インクジェット記録部はインクタンクに充填されたインクをインクヘッドに形成されたノズルより記録紙に吐出して所望のデータを記録するものであって、本実施例のインクヘッドは記録紙搬送方向に64個のノズルが1/360inchピッチで１列の並んだノズル列を備え、このインクヘッドを記録紙幅方向に移動することで効率的に記録を行うものである。図１においてインクタンクとインクヘッドはインクカートリッジ1内に搭載され、前記インクカートリッジ1はキャリッジ4に着脱可能な状態で取り付けられている。前記キャリッジ4はシャーシ24の上部をコの字に曲げて形成されたガイドレール7と前記シャーシの両側版に支持されたガイドシャフト60によりガイドされ、記録紙幅方向に移動可能に支持されている。また、前記キャリッジ4は一端をシャーシ24に取り付けられた図３記載のキャリッジモーター33のピニオンギアに係合され、他端をシャーシに取り付けられたプーリによってテンションを持って支持されたキャリッジベルト63に固定されており、前記キャリッジモーター33の駆動で動くようになっている。前記インクカートリッジ1は記録状態以外のとき装置右端にあるノズルキャップ機能でキャップするために、図１のごとくキャリッジ移動範囲の右端（キャッピングポジション）に停止している。
【００１３】
一方、本実施例における画像読取記録装置の読み取り部は、図２のように、コンタクトイメージセンサ（ＣＳ）22とＣＳホルダ26と白基準25で構成されている。前記ＣＳ22はＣＳホルダ26に成形された凹部にセンサーガラス面が外側になるように収容されネジで固定されている。白基準25は白色のシートを金属板に取り付けて形成されており、前記金属板は白色シートを取り付ける平面と長手方向端部を折り曲げて形成された側板で構成されている。前記ＣＳホルダ26は、不図示のねじりコイルバネによって、図１のように、読み取り待機位置に保持されるように付勢されている。ＣＳホルダ26が前記読み取り待機位置に位置しているときは前記記録部のキャリッジ4とキャリッジに取り付けられたインクカートリッジ1が記録の際にキャリッジ移動範囲内を移動しても接触しないように設計されている。読み取り動作が要求されたとき、まずキャリッジ4を左端まで移動させ、キャリッジ4に取り付けられた図１記載のカム部材94を使って駆動切替手段52を操作し、図３記載の搬送モーター92の駆動が読み取り部に伝わるようにする。以後、搬送モーターを正方向に回転すると、駆動がＣＳ駆動伝達手段73を介してＣＳ駆動手段74に伝わり、ＣＳホルダ26は図１の読み取り待機位置から図2記載の読み取り位置に移動する。ＣＳホルダ26が完全に読み取り位置に移動するとＣＳ駆動手段74とＣＳ駆動伝達手段73を連結しているクラッチが外れ、ＣＳホルダ26はその位置に停止する。なお、図５記載のフローチャートのステップS5-001ように、搬送モーター92を逆回転させると、ＣＳ駆動手段74とＣＳ駆動伝達手段73がクラッチにより連結され、ＣＳホルダ26を読み取り待機位置に戻すことができる。
【００１４】
図４は、本実施例の画像読取記録装置における電気的構成を表すブロック図である。
【００１５】
画像読取記録装置1000は、回線を介して一般公衆回線網（PSTN）1100に接続されている。
【００１６】
画像読取記録装置1000は、バス1010でそれぞれ接続された1001から1008までのモジュールから構成させる。
【００１７】
CPU1001は、ROM1002に格納されているファクシミリ通信、表示、記録などの制御プログラム、および、SRAM 1003に格納されている各種ソフトパラメータに基づいて、DRAM1004の一部をワークエリアに利用しながら、画像読取記録装置1000全体を制御する。SRAM1003は、主電源がOFFされても内容を保持し続けることができるようにバッテリーでバックアップされている。DRAM1004は、上記ワークエリアのほかに、ファクシミリ画像を格納する領域として使用される。
【００１８】
操作・表示部1005は、テンキー、カーソルキー、スタートキー、ストップキー等のほかに、画像読取記録装置1000の状態を示すいくつかのLEDや小型のLCD等から構成される。ユーザは、テンキーを使って任意の相手に電話をかけたり、カーソルキーやスタートキーを使って各種メニューを選択したり、ファクシミリ送信などの動作を指示したりすることができる。
【００１９】
読取部1006は、コンタクトイメージセンサ、読み取ったデータを適宜画像処理するためのゲートアレイ等から構成され、原稿を走査して画像データを生成する。生成されたデータは、一旦DRAM1002に格納されて後述する通信部1009を介してファクシミリ送信されたり、あるいは、後述する記録部1007に転送されて印刷されたりする。
【００２０】
記録部1007は、インクジェット方式のプリンタや、記録のための解像度変換などを行う画像処理デバイス等から構成され、ファクシミリ画像を記録紙に印刷したり、あるいは、SRAM1003に格納されている各種ソフトパラメータを印刷したりすることができる。
【００２１】
通信部1009は、ファクシミリモデムや、画像読取記録装置1000をPSTN 1100に接続するためのリレーやトランスなどを具備した網制御ユニット（NCU）等から構成され、操作部1008を使って入力された番号に対して電話をかけたり、ファクシミリ通信に対応するように電気信号を変調・復調したりする。
【００２２】
図５は本実施例の画像読取記録装置におけるファクシミリ画像の自動受信開始処理を記述したフローチャートである。
【００２３】
本実施例の画像読取記録装置は、図４記載の操作・表示部1005を使って、同図記載のPSTN1100から呼び出し信号（以下CI）を受けたときの動作を選択することができる。選択可能な動作には、無条件にファクシミリ画像を受信するFAX Onlyモード、回線を捕捉してCNGを検出したときだけファクシミリ画像を受信するFAX/TEL切り替えモード、操作はすべてユーザに任せるManualモードがある。図５記載のファクシミリ画像の自動受信開始処理は、前記選択された動作がManualモード以外のとき実行される。
【００２４】
まず、ステップS5-001において、画像読取記録装置の記録部の状態やファクシミリ画像を格納するメモリの状態などの諸条件から、ファクシミリ画像の受信が可能か否かを判定する。詳細は後述する。
【００２５】
もし、ステップS5-002において、ステップS5-001の結果が受信不可であると判断されるならば、何もせずに自動受信開始処理を終了する。逆に受信可能であると判断されるならばステップS5-003に進み、回線を補足する。
【００２６】
続いてステップS5-004において、前記CIを受けたときの動作としてFAX Onlyモードが選択されているならば、ファクシミリ受信を開始する。なお、ファクシミリ受信の処理は公知の技術であるため、説明を割愛する。一方、前記動作モードがFAX Onlyモードでないならば、すなわちFAX/TEL切り替えモードであるならば、ステップS5-005に進む。
【００２７】
ステップS5-005では、予め定められた時間だけ発信者側からのCNG信号を待ち、もしCNG信号が検出されたならばFAX Onlyモードのときと同じようにファクシミリ受信を開始する。一方、もしCNGが検出されなかったならば発信者は会話を目的としているものと判断して、本実施例の画像読取記録装置に接続された電話機を鳴動させてユーザを呼び出す。この技術についても公知であるため、詳細は割愛する。
【００２８】
図６は、図５のステップS5-001に記載したファクシミリ受信可否判定の処理を詳細に記述したフローチャートである。
【００２９】
まず、ステップS6-001において、図４記載のDRAM1004上に割り当てられたファクシミリ受信画像を格納するメモリの空き領域が、ファクシミリ画像を受信するには足りない状態にあるか否かを判断する。もし、空き領域が十分あると判断されるならばステップS6-007に進み、ファクシミリ受信可能の判定結果を返して、ファクシミリ受信可否判定の処理を終了する。もし、空き領域が少ない、すなわち、受信メモリが切迫している、あるいは、空き領域がないならばステップS6-002に進む。
【００３０】
ステップS6-002では、図４記載の記録部1007関係にエラーがないか確認する。例えば、記録紙やインクがなくなっていたり、記録紙搬送部で紙ジャムが発生していたりするような記録系のエラーがあるならば、仮に少ないメモリでファクシミリ受信を開始してもその画像を記録することができないので、データがオーバーフローしてしまう可能性が高い。よって、ステップS6-010に進み、ファクシミリ受信不可の判定結果を返して、ファクシミリ受信可否判定の処理を終了する。もし、記録系のエラーがないならば、ステップS6-003に進む。
【００３１】
ステップS6-003において、ダイレクト送信の自動リダイヤル中や、ダイレクトタイマ送信の時刻待ちで原稿が記録と読み取りで共用の紙搬送系を占有しているか否かを確認する。もし占有していなければ、受信画像を直ぐに記録することができるので、ファクシミリ受信可能の判定結果を返して（ステップS6-007）、ファクシミリ受信可否判定の処理を終了する。一方、もし原稿が紙搬送系を占有しているならば、ステップS6-004に進む。
【００３２】
ステップS6-004では、図４記載のSRAM1003に割り当てられた原稿排紙可否領域に格納されているユーザ設定を確認する。もし、ユーザが原稿排紙を認めていないならば、ファクシミリ受信不可の判定結果を返して（ステップS6-010）、ファクシミリ受信可否判定の処理を終了する。逆に、ユーザが原稿排紙を認めているならば、ステップS6-005からステップS6-008を実行する。
【００３３】
詳しく説明すると、ステップS6-005では、まず保留になっていた読み取り原稿を排紙して送信がキャンセルされた旨をユーザに伝えるため、メッセージを図４記載の操作・表示部1005のＬＣＤに表示する。続いて、図３記載の搬送モーター92を正転させ、原稿を排紙する。もし、予め定められた量だけ搬送モーター92を正転させたにも関わらず、センサー（不図示）によって原稿の排紙が確認できない場合、排紙が正常に終了しなかったと判断して（ステップS6-006）、ファクシミリ受信不可の判定結果を返して（ステップS6-010）、ファクシミリ受信可否判定の処理を終了する。
【００３４】
正常に原稿を排紙できたならば、ステップS6-007で図７記載のＣＳ解除処理を行う。図７記載の通り、同解除処理では、ステップS7-001で搬送モーター92を500単位逆転させ、ステップS7-002で図１記載のキャリッジ4を右端まで移動する。もし、ステップS6-008においてキャリッジ4が右端まで移動したことを検出できなかったならば、ファクシミリ受信不可の判定結果を返して（ステップS6-010）、ファクシミリ受信可否判定の処理を終了する。一方、キャリッジ4が右端まで正常に移動したことが確認できたならば、ファクシミリ受信可能の判定結果を返して（ステップS6-007）、ファクシミリ受信可否判定の処理を終了する。
【００３５】
（その他の実施例）
第１の実施例では、記録ユニットの可動部と読み取りユニットの可動部とで、可動空間の少なくとも一部を共用する構成とした。しかし、本願はこれに限定されるものではない。
【００３６】
また、第１の実施例では、図６のステップS6-001の判断により、メモリが切迫したときだけ原稿の排紙を行うとした。しかしながら、ファクシミリ受信要求があったならばメモリとは無関係に送信待機中の原稿を排紙しても構わない。例えばより安く装置を提供するために最初から少ないメモリしか実装していない装置などに有効である。
【００３７】
さらに、第１の実施例では、図６のステップS6-004に示すように、ユーザが原稿の排紙の可否を選択できる構成とした。これは、ユーザが知らない間に待機中の送信がキャンセルされてしまうことを防ぐためである。しかしながら、ユーザが選択できない構成であっても、所期の目的を達成することはできる。特に、第1の実施例では図６のステップS6-005で原稿が排紙された旨をＬＣＤに表示する構成としてあるので、弊害は少ない。逆に、ユーザによって排紙の可否を選択できるのであれば、あえて前記表示の処理がなくてもユーザは待機中の送信がキャンセルされたことを十分認識できると思われる。無論、前記ユーザによる選択と前記排紙された旨を伝える表示がなくても、所期の目的を達成することはできる。
【００３８】
また、第１の実施例では、図６のステップS6-005で原稿が排紙された旨をＬＣＤに表示する構成とした。しかし、ＬＣＤに表示するのでなくても、例えば通信管理レポートのひとつの送信内容として、該当する送信がキャンセルされたことを記録して通知することも可能である。
【００３９】
さらに、第１の実施例では、図５記載のファクシミリ画像の自動受信開始処理において図６記載のファクシミリ受信可否判定の処理を実行する構成とし、ファクシミリ受信画像の記録が伴う可能性がある着信のときだけ本発明による効果が得られるようにした。しかしながら、例えばファクシミリ受信中に受信画像を格納するための画像メモリの領域を確保するとき、それと並列に図６記載のファクシミリ受信可否判定の処理を実行するように構成すれば、よりいっそう所期の目的を満たす装置を提供することが可能となる。
【図面の簡単な説明】
【００４０】
【図１】本発明に係わる画像読取記録装置の全体構成と、記録動作が可能であるときのＣＳホルダの位置を示す装置斜視図である。
【図２】本発明に係わる画像読取記録装置における読取動作時を示す斜視図である。
【図３】本発明に係わる画像読取記録装置におけるキャリッジ、ＣＳホルダ等の駆動系を示す背面からの斜視図である。
【図４】本実施例の画像読取記録装置における電気的構成を表すブロック図である。
【図５】本実施例の画像読取記録装置におけるファクシミリ画像の自動受信開始処理を記述したフローチャートである。
【図６】本実施例の画像読取記録装置におけるファクシミリ受信可否判定の処理を詳細に記述したフローチャートである。
【図７】本実施例の画像読取記録装置においてＣＳホルダを読み取り待機位置に移動する処理を記述したフローチャートである。
【符号の説明】
【００４１】
1  インクカートリッジ
4  キャリッジ
7  ガイドレール
22  コンタクトイメージセンサ（ＣＳ）
24  シャーシ
25  白基準
26  ＣＳホルダ
33  キャリッジモーター
52  駆動切替手段
60  ガイドシャフト
63  キャリッジベルト
73  ＣＳ駆動伝達手段
74  ＣＳ駆動手段
90  ＣＳ駆動センサー
92  搬送モーター
93  ＣＳ駆動遮蔽版
94  カム部材
1000  画像読取記録装置
1001  ＣＰＵ
1002  ＲＯＭ
1003  ＳＲＡＭ
1004  ＤＲＡＭ
1005  操作・表示部
1006  読取部
1007  記録部
1008  通信部
1010  バス
1100  ＰＳＴＮ
【図１】
2006217037.tif 000003
【図２】
2006217037.tif 000004
【図３】
2006217037.tif 000005
【図４】
2006217037.tif 000006
【図５】
2006217037.tif 000007
【図６】
2006217037.tif 000008
【図７】
2006217037.tif 000009